(57)【特許請求の範囲】
【請求項１】
ＩＳＤＮ回線を通じて入力された電話番号データと当該電話番号データの出力先を指定する識別データとが記憶されているメモリ部と、
電話番号データと音声データとが前記ＩＳＤＮ回線を通じて入力されるとき、前記ＩＳＤＮ回線を通じて入力される電話番号データに一致する電話番号データが前記メモリ部に記憶されているか否か検索し、一致する電話番号データが前記メモリ部に記憶されているならば当該電話番号データの出力先を指定する識別データを前記メモリ部から読み出し、ＩＳＤＮ回線を通じて入力される前記電話番号データと前記音声データとを前記識別データで指定される出力先へ出力させる制御をすると共に電話番号データが同一であり複数のトラックに分散して記録されている音声データについて１つのトラックに結合する管理データを作成する指示をする制御信号を出力先へ出力する中央演算処理部とを備えることを特徴とする通話記録制御装置。
【請求項２】
ＩＳＤＮ回線を通じて入力された電話番号データと当該電話番号データの出力先を指定する識別データとが記憶されているメモリ部と、
電話番号データと音声データとが前記ＩＳＤＮ回線を通じて入力されるとき、前記ＩＳＤＮ回線を通じて入力される電話番号データに一致する電話番号データが前記メモリ部に記憶されているか否か検索し、一致する電話番号データが前記メモリ部に記憶されているならば当該電話番号データの出力先を指定する識別データを前記メモリ部から読み出し、ＩＳＤＮ回線を通じて入力される前記電話番号データと前記音声データとを前記識別データで指定される出力先へ出力させる制御をすると共に電話番号データが同一であり複数のトラックに分散して記録されている音声データについてトラックの番号を記録時刻順に隣接する番号に並べ替える管理データを作成する指示をする制御信号を出力先へ出力する中央演算処理部とを備えることを特徴とする通話記録制御装置。
【発明の詳細な説明】
【０００１】
【発明の属する技術分野】
本発明は、制御信号用外部入力端子を備えた情報媒体用記録装置に、電話番号データと音声データを記録するための通話記録機能を与える通話記録制御装置に関する。
【０００２】
【従来の技術】
電話回線を用いて交わされる電話番号データと音声データとを記録する装置として、電話番号データと音声データとを証拠として保全するために、情報記録媒体に長時間にわたり記録する通話記録装置が知られている。また、留守番電話機能を備えた電話機が知られている。
【０００３】
さて、電話番号データと音声データとを記録する装置の他の一形態として、制御信号用外部入力端子を通じて入力される制御信号に応じて記録を行う情報媒体用記録装置と、電話回線を通じて入力される呼び出し信号や受話器を持ち上げた際に発するフックオフ信号に応じて前記情報媒体用記録装置の記録を制御する通話記録制御装置とを用い、電話回線を通じて入力される電話番号データと音声データとを記録する記録システムが検討されている。
【０００４】
【発明が解決しようとする課題】
このような記録システムにより電話番号データと音声データとを記録する場合、同一の相手先の音声データ、つまり、同一の電話番号データの音声データが、時間をおいて複数回にわたって記録されることがある。電話番号データを用いて検索を行うとき、音声データが複数箇所に散在しているので、目的とする音声データの検索に手間を要するという欠点があった。
【０００５】
加えて、情報媒体用記録装置を複数台用いる記録システムにより電話番号データと音声データとを記録する場合、同一の電話番号データの音声データが、複数の情報媒体の複数の箇所に散在して記録されることがある。目的とする音声データを検索する場合、複数の情報媒体にアクセスする必要があり、さらに手間を要するという欠点があった。
【０００６】
本発明は、同一の電話番号データの音声データの検索を容易にするため、同一の電話番号データの音声データが情報媒体に纏めて記録されるように情報媒体用記録装置を制御する通話記録制御装置を提供することを目的とする。
【０００７】
【課題を解決するための手段】
上記課題を解決するために、請求項１に記載の通話記録制御装置は、
ＩＳＤＮ回線を通じて入力された電話番号データと当該電話番号データの出力先を指定する識別データとが記憶されているメモリ部と、
電話番号データと音声データとが前記ＩＳＤＮ回線を通じて入力されるとき、前記ＩＳＤＮ回線を通じて入力される電話番号データに一致する電話番号データが前記メモリ部に記憶されているか否か検索し、一致する電話番号データが前記メモリ部に記憶されているならば当該電話番号データの出力先を指定する識別データを前記メモリ部から読み出し、ＩＳＤＮ回線を通じて入力される前記電話番号データと前記音声データとを前記識別データで指定される出力先へ出力させる制御をすると共に電話番号データが同一であり複数のトラックに分散して記録されている音声データについて１つのトラックに結合する管理データを作成する指示をする制御信号を出力先へ出力する中央演算処理部とを備えることを特徴とする。
【０００８】
また、請求項２に記載の通話記録制御装置は、
ＩＳＤＮ回線を通じて入力された電話番号データと当該電話番号データの出力先を指定する識別データとが記憶されているメモリ部と、
電話番号データと音声データとが前記ＩＳＤＮ回線を通じて入力されるとき、前記ＩＳＤＮ回線を通じて入力される電話番号データに一致する電話番号データが前記メモリ部に記憶されているか否か検索し、一致する電話番号データが前記メモリ部に記憶されているならば当該電話番号データの出力先を指定する識別データを前記メモリ部から読み出し、ＩＳＤＮ回線を通じて入力される前記電話番号データと前記音声データとを前記識別データで指定される出力先へ出力させる制御をすると共に電話番号データが同一であり複数のトラックに分散して記録されている音声データについてトラックの番号を記録時刻順に隣接する番号に並べ替える管理データを作成する指示をする制御信号を出力先へ出力する中央演算処理部とを備えることを特徴とする。
【００１０】
【発明の実施の形態】
図１に本発明の一実施例の通話記録制御装置のブロック図、図２に本実施例の通話記録制御装置を用いた記録システムの構成図、図３に本実施例の通話記録制御装置の表示部の表示例を説明する説明図を示す。以下、図１乃至図３を用いて本発明の一実施例の通話記録制御装置を説明する。
【００１１】
本発明の通話記録制御装置の一実施例の構成について説明する。図１に示すように、本実施例の通話記録制御装置１００は、入出力処理部１、中央演算処理部２、記録開始指示部３、メモリ部４、及び表示部５を備える。
【００１２】
そして、図２に示すように、本実施例の通話記録制御装置１００を用いる記録システムは、通話記録制御装置１００、電話機２００、第１ミニディスク記録再生装置３００、第２ミニディスク記録再生装置４００を備える。
【００１３】
図示しない電源スイッチによる電源投入後、本実施例の通話記録制御装置１００の中央演算処理部２は、第１ミニディスク記録再生装置３００および第２ミニディスク記録再生装置４００に装着された図示しないミニディスクから、それぞれミニディスクに記録されたデータに関する管理データを読み出すように制御する読み出し制御信号を出力する。
【００１４】
第１ミニディスク記録再生装置３００および第２ミニディスク記録再生装置４００の図示しないＣＰＵ（Ｃｅｎｔｒａｌ  Ｐｒｏｃｅｓｓｉｎｇ  Ｕｎｉｔ）部は、中央演算処理部２が出力した読み出し制御信号を受けて、管理データをミニディスクから読み出すように図示しない記録再生部を制御する。
【００１５】
第１ミニディスク記録再生装置３００および第２ミニディスク記録再生装置４００の図示しないＣＰＵ部は、ミニディスクから読みだした管理データを中央演算処理部２へ出力する。
【００１６】
中央演算処理部２は、管理データをメモリ部４に記憶させる。以下、新しい管理データを作成するまでメモリ部４の管理データを用いて第１ミニディスク記録再生装置３００および第２ミニディスク記録再生装置４００の図示しないミニディスクを管理する。
【００１７】
次に、本実施例の通話記録制御装置１００の記録開始指示部３から記録開始が指示されない場合の通話記録制御装置１００の信号処理について説明する。電話機２００からオフフック信号が、また、ＩＳＤＮ回線から呼び出し信号が、入出力処理部１を通じて、中央演算処理部２に入力されたとき、中央演算処理部２は、第１ミニディスク記録再生装置３００と第２ミニディスク記録再生装置４００のいずれにも、音声データ、電話番号データ、及び制御信号を出力しない。
【００１８】
電話機２００は、入出力処理部１、ＩＳＤＮ回線、交換器などを通じて図示しない他の電話機に結ばれ、電話機２００と図示しない他の電話機との間でＩＳＤＮ信号が送受信され、２者間で通話が交わされる。この場合、通話は記録されない。
【００１９】
次に、本実施例の通話記録制御装置１００の記録開始指示部３から記録開始が指示されている場合の通話記録制御装置１００の信号処理について説明する。この場合の記録に関する処理としては２通りあり、留守番電話機能による記録と通話記録機能による記録とがある。まず、留守番電話機能による記録開始から記録終了までの処理について説明する。
【００２０】
ＩＳＤＮ回線からの呼び出し信号が、入出力処理部１を通じて、中央演算処理部２に入力されたとき、中央演算処理部２は、ＩＳＤＮ回線を通じて入力される電話番号データの取り込みを開始する。中央演算処理部２は、電話番号データの中央演算処理部２への取り込みを終了してから、メモリ部４にアクセスする。
【００２１】
メモリ部４には、今までに交わした通話相手の電話番号データと、この電話番号データと同時に入力された音声データを第１ミニディスク記録再生装置３００または第２ミニディスク記録再生装置４００のどちらに出力したかを示す識別データと、が検索し易いように関連づけて記憶されている。中央演算処理部２は、メモリ部４に記憶されている電話番号データを読み出し、入出力処理部１を通じて入力された電話番号データと比較する。
【００２２】
入出力処理部１から出力された電話番号データと同じ電話番号データがメモリ部４に記憶されていなかった場合、中央演算処理部２は、メモリ部４に予め記憶されている第１ミニディスク記録再生装置３００及び第２ミニディスク記録再生装置４００に装着されているミニディスクの管理データの中の記録可能時間データを読み出す。
【００２３】
中央演算処理部２は、記録可能時間に最も余裕があるミニディスクが装着されている出力先に電話番号データと音声データを出力するよう決定する。そして、中央演算処理部２は、この電話番号データとこの出力先の識別データを記憶するようにメモリ部４を制御する。
【００２４】
また、入出力処理部１から出力された電話番号データと同じ電話番号データがメモリ部４に記憶されていた場合、中央演算処理部２は、一致した電話番号データに関連づけて記憶されている識別データを読み出して出力先を判別し、このミニディスクが装着されている出力先に電話番号データと音声データを出力するように決定する。
【００２５】
本実施例では、出力先として、第１ミニディスク記録再生装置３００または第２ミニディスク記録再生装置４００のいずれかが選択されるが、本実施例の説明では、第１ミニディスク記録再生装置３００が出力先として選択されるものとして説明する。なお、出力先は２つに限るものでなく３つ以上であっても本発明の実施は可能である。
【００２６】
続いて、中央演算処理部２は、入力処理部１を通じて入力される相手先からの呼び出し信号の回数を計数し、所定回数に達したならば、留守番電話機能を動作させるよう判断する。
【００２７】
中央演算処理部２は、留守番電話機能が動作していることを説明する音声データを再生するように制御する再生開始制御信号を第１ミニディスク記録再生装置３００の図示しないＣＰＵ部へ出力する。
【００２８】
第１ミニディスク記録再生装置３００の図示しないＣＰＵ部は、留守番電話機能が動作していることを説明する音声データをミニディスクから再生開始するよう第１ミニディスク記録再生装置３００の図示しない記録再生部を制御する。
【００２９】
この留守番電話機能が動作していることを説明する音声データは、第１ミニディスク記録再生装置３００から中央演算処理部２に入力され、中央演算処理部２によりそのまま入出力処理部１へ出力される。
【００３０】
音声データの再生が終了したとき、第１ミニディスク記録再生装置３００の図示しないＣＰＵ部は、中央演算処理部２へ音声データの再生を終了したことを示す再生終了信号を出力する。
【００３１】
中央演算処理部２は、出力先の第１ミニディスク記録再生装置３００の図示しないＣＰＵ部へ記録開始制御信号を出力するとともに、入出力処理部１を通じて入力される音声データの出力を開始する。
【００３２】
中央演算処理部２が出力した記録開始制御信号は、第１ミニディスク記録再生装置３００の図示しないＣＰＵ部に入力され、１ミニディスク記録再生装置３００の図示しないＣＰＵ部は、入力される音声データの記録を開始するように第１ミニディスク記録再生装置３００の図示しない記録再生部を制御する。
【００３３】
記録開始と同時に中央演算処理部２は、入出力処理部１を通じて入力される音声データについて、時間的に隣接する音声データのサンプルの差分値を取り、差分値が０となる回数が予め定められた回数以上にわたり連続するかどうかを検出している。このような処理は、無言電話か否かを判定するために行う。
【００３４】
相手先からオンフック信号が入力されたとき、記録停止処理と無言電話判定処理とを行う。記録停止処理を行うため、中央演算処理部２は、第１ミニディスク記録再生装置３００の図示しないＣＰＵ部へ記録停止制御信号を出力する。
【００３５】
第１ミニディスク記録再生装置３００の図示しないＣＰＵ部は、入力される音声データの記録を停止するよう第１ミニディスク記録再生装置３００の図示しない記録再生部を制御する。
【００３６】
続いて、無言電話判定処理を行うため、中央演算処理部２は、入力される音声データの隣接するサンプルの差分値が０となる回数が予め定められた回数以上にわたり連続したのち、電話を切るオンフック信号が検出されたかを判定し、該当する場合、電話をかけたが無言で通話を終了したときの音声データであると判断する。
【００３７】
中央演算処理部２は、無言電話である音声データが記録されているトラックであることを判別できるように、メモリ部４に無言電話である音声データのトラックのトラック番号データを記憶させる。以上が、相手からの呼び出し信号が所定の回数に達するときに行われる、留守番電話機能による記録開始から記録終了までの処理である。
【００３８】
次に、通話記録機能による記録開始から記録終了までの処理について説明する。電話機２００からオフフック信号が、また、ＩＳＤＮ回線から呼び出し信号が、入出力処理部１を通じて、中央演算処理部２へ入力されたとき、中央演算処理部２は、電話番号データの取り込みを開始する。
【００３９】
このとき、電話機２００からオフフック信号が入力されるとき、電話機２００から出力される呼び出し先の電話番号データを、また、ＩＳＤＮ回線から呼び出し信号が入力されるとき、ＩＳＤＮ回線を通じて入力された電話番号データを、中央演算処理部２は取り込む。
【００４０】
中央演算処理部２は、入力される電話番号データの取り込みを終了してから、メモリ部４にアクセスする。メモリ部４には、今までに交わした通話の電話番号データと、この電話番号データと同時に入力された音声データを第１ミニディスク記録再生装置３００、または、第２ミニディスク記録再生装置４００のどちらに出力したかを示す識別データと、が検索し易いように関連づけて記憶されている。中央演算処理部２は、メモリ部４に記憶されている電話番号データを読み出し、入出力処理部１を通じて入力された電話番号データと比較する。
【００４１】
入出力処理部１を通じて入力された電話番号データと同じ電話番号データがメモリ部４に記憶されていなかった場合、中央演算処理部２は、メモリ部４に予め記憶されている第１ミニディスク記録再生装置３００および第２ミニディスク記録再生装置４００のミニディスクの管理データの中の記録可能時間データをメモリ部４から読み出す。
【００４２】
中央演算処理部２は、記録可能時間に最も余裕があるミニディスクが装着されている出力先に電話番号データと音声データを出力するよう決定する。そして、中央演算処理部２は、この電話番号データとこの出力先の識別データを記憶するようにメモリ部４を制御する。
【００４３】
また、入出力処理部１から出力された電話番号データと同じ電話番号データがメモリ部４に記憶されていた場合、中央演算処理部２は、一致した電話番号データに関連づけて記憶されている識別データを読み出し、このミニディスクが装着されている出力先に電話番号データと音声データを出力するように決定する。この場合も、第１ミニディスク記録再生装置３００が選択されるものとして説明する。
【００４４】
続いて、中央演算処理部２は、呼び出し信号の回数を計数し、所定回数に達するまでに電話機２００もしくは相手先の電話機からオフフック信号が出力され、呼び出し信号が検出できなくなった場合に通話記録機能を動作させるよう判断する。
【００４５】
中央演算処理部２は、出力先として選択された第１ミニディスク記録再生装置３００の図示しないＣＰＵ部へ記録開始制御信号を出力する。また、中央演算処理部２は、記録開始と同時に第１ミニディスク記録再生装置３００へ音声データの出力を開始する。
【００４６】
中央演算処理部２が出力した記録開始制御信号は、第１ミニディスク記録再生装置３００の図示しないＣＰＵ部に入力され、第１ミニディスク記録再生装置３００の図示しないＣＰＵ部は、入力される音声データの記録を開始するように図示しない記録再生部を制御する。
【００４７】
記録開始と同時に中央演算処理部２は、無言電話か否かを判定するために、入出力処理部１を通じて入力される音声データについて、時間的に隣接する音声データのサンプルの差分値を取り、差分値が０となる回数が予め定められた回数以上にわたり連続するかどうかを検出している。
【００４８】
相手先のオンフック信号が、また、電話機２００からのオンフック信号が、中央演算処理部２に入力されたとき、中央演算処理部２は、記録停止処理と無言電話判定処理とを行う。記録停止処理を行うため、中央演算処理部２は、第１ミニディスク記録再生装置３００の図示しないＣＰＵ部へ記録停止制御信号を出力する。第１ミニディスク記録再生装置３００の図示しないＣＰＵ部は、入力される音声データの記録を停止するよう図示しない記録再生部を制御する。
【００４９】
続いて、無言電話判定処理を行うため、中央演算処理部２は、入力される音声データの隣接するサンプルの差分値が０となる回数が予め定められた回数以上にわたり連続したのちに電話を切るオンフック信号が検出されたかを判別し、該当する場合は電話を掛けたが無言で通話を終了したときの音声データであると判断する。
【００５０】
中央演算処理部２は、無言電話である音声データが記録されているトラックであることを判別できるように、メモリ部４に無言電話である音声データのトラックのトラック番号データを記憶させる。以上が、通話記録機能による記録開始から記録終了までの処理である。
【００５１】
次に本実施例の通話記録制御装置１００の留守番電話機能による記録と通話記録機能による記録の後に共通して行う管理データ作成処理について説明する。中央演算処理部２は、メモリ部４から出力先の第１ミニディスク記録再生装置３００のミニディスクの管理データを読み出す。
【００５２】
まず、中央演算処理部２は、メモリ部４に記憶されている無言電話である音声データのトラック番号データを読みだし、最新のトラックの音声データが無言電話である音声データか否かについて判断する。
【００５３】
最新のトラックの音声データが無言電話である音声データの場合、無言電話に関する音声データについて、記録可能な最小時間単位の音声データのトラック、または、音声データのないトラックとする管理データを作成する。
【００５４】
このような処理を行う理由として、無言電話に関する音声データは必要がないため破棄し、記録時刻データのみ記憶保存して無言電話があったことが判別できるようにするためである。そして、ミニディスクの最新の記録時刻データと、トラックネームである電話番号データと、に関する管理データを作成する。
【００５５】
最新のトラックの音声データが無言電話でない音声データの場合は、無言電話でない音声データを、１つのトラックとする管理データを作成する。そして、ミニディスクの最新の記録時刻データと、トラックネームである電話番号データと、に関する管理データを作成する。
【００５６】
続いて最新のトラックの音声データの電話番号データが既にメモリ部４に登録されているか否かを判定する。電話番号データが既にメモリ部４に登録されていない場合は、管理データをそのままミニディスクへ記録する。
【００５７】
中央演算処理部２は、第１ミニディスク記録再生装置３００の図示しないＣＰＵ部へこの管理データと、当該管理データをミニディスクに記録するように記録再生部を制御する記録開始制御信号と、を出力して管理データの作成を終了する。以上が電話番号データが登録されていない場合の管理データである。
【００５８】
電話番号データが既にメモリ部４に登録されている場合は、中央演算処理部２は、音声データを再生する場合に検索が容易となるような管理データを作成する。中央演算処理部２が作成する管理データは、２通りあるが、どちらかの管理データを作成する。中央演算処理部２が作成する第１の管理データについて説明する。
【００５９】
中央演算処理部２は、メモリ部４に登録されている電話番号データを持ち、予めミニディスクに記録されているトラックを存続トラックとし、この存続トラックの音声データに、電話番号データが一致する最新のトラックの音声データを結合して一つのトラックの音声データとする管理データを作成する。
【００６０】
さらに、中央演算処理部２は、存続トラックのトラックネームとして記憶されている電話番号データはそのまま維持し、存続トラックの記録時刻データを最新の記録時刻データに書き換える管理データを作成する。
【００６１】
そして、中央演算処理部２は、第１ミニディスク記録再生装置３００の図示しないＣＰＵ部へ、新しく作成したトラック番号・電話番号データ・記録時刻データに関する管理データと、当該管理データをミニディスクに記録するように記録再生部を制御する記録開始制御信号と、を出力して管理データをミニディスクに記録するよう制御する。
【００６２】
このように、同一の電話番号データである音声データを一つのトラック単位で管理するような管理データを作成するので、例えば、電話番号データの数が多い場合であっても、１つの電話番号データについて１つのトラックが対応しているため、容易に検索を行うことができる。
【００６３】
また、同一の電話番号データである音声データは、記録時刻順に１つの音声データとして結合される管理データとなっている。再生するときに１つの音声データとしてまとめて再生されるので、最初に記録された音声データに続いて次の音声データが連続して再生され、時間的な経過の判別が可能である。以上が、中央演算処理部２が作成する第１の管理データである。
【００６４】
また、中央演算処理部２が作成する第２の管理データとしては、電話番号データが一致するトラックが複数トラックにわたって連続するようなトラック番号を付する管理データを作成する。
【００６５】
このとき、各トラックの記録時刻データは、トラック１が△月□日☆時◇分、トラック２が△月□日□時◇分、また、トラック３が△月◎日☆時▽分というよう月日時分に関するデータとなる。このトラック番号は連続する番号であって、記録時刻が新しい順に大きくなる番号である。
【００６６】
仮に第１の電話番号データの音声データがトラック１からトラック３まであって、第２の電話番号データの音声データがトラック４からトラック６まであるときに、新しく第１の電話番号データの音声データを記録した場合、新しくできる管理データは、第１の電話番号データの音声データがトラック１からトラック４まであって、第２の電話番号データの音声データがトラック５からトラック７までの管理データとなる。最新の第１の電話番号データの音声データは、トラック４に相当する。
【００６７】
このように中央演算処理部２は、１回の音声データを一つのトラック単位で作成し、時間順に再生するようにトラック番号を変更して管理する管理データとする。
【００６８】
同一の電話番号データの音声データは、記録時刻順に連続するトラック番号として管理され、容易に検索できる。また、１回の通話単位で音声データを記録保存したい場合に管理が容易となる。
【００６９】
中央演算処理部２は、第１ミニディスク記録再生装置３００の図示しないＣＰＵ部へ、トラック番号・電話番号データ・記録時刻データに関する管理データと、当該管理データをミニディスクに記録するように記録再生部を制御する記録開始制御信号と、を出力する。
【００７０】
第１ミニディスク記録再生装置３００は、管理データを図示しないミニディスクに記録する。以上が中央演算処理部２が作成する第２の管理データである。
【００７１】
中央演算処理部２は、第１の管理データ、または、第２の管理データを作成し、検索し易いようにトラックを纏める管理データを作成する。以上、電話番号データが登録されている場合の管理データの作成について説明した。
【００７２】
中央演算処理部２は、留守番電話機能、または、通話記録機能の終了後、図３に示すような表示を行うように表示部５を制御する。表示部５には、受信した電話番号、受信件数、出力先のミニディスク番号、受信（記録開始）時間が出力される。
【００７３】
以上、本発明によれば、同じ電話番号データを持つ音声データは、散在することなく、同一の情報媒体に連続するように記録されるので、同じ電話番号データを持つ音声データ別に管理でき、管理が容易となる。
【００７４】
【発明の効果】
上述したように本発明の通話記録制御装置によれば、同一の電話番号データの音声データの検索を容易にするため、同一の電話番号データの音声データが情報媒体に纏めて記録されるように情報媒体用記録装置を制御する通話記録制御装置を提供することができる。
【図面の簡単な説明】
【図１】本発明の一実施例の通話記録制御装置のブロック図。
【図２】本実施例の通話記録制御装置を用いた記録システムの構成図。
【図３】本実施例の通話記録制御装置の表示部の表示例を説明する説明図。
【符号の説明】
１００・・・通話記録制御装置
１・・・入出力処理部
２・・・中央演算処理部
３・・・記録開始指示部
４・・・メモリ部
５・・・表示部
２００・・・電話機
３００・・・第１ミニディスク記録再生装置
４００・・・第２ミニディスク記録再生装置
【図１】
0003590267.tif 000002
【図２】
0003590267.tif 000003
【図３】
0003590267.tif 000004